(57)【特許請求の範囲】
【請求項１】
登録印影と、被照合印影の２つの印影を表示する表示手段とを備えた印鑑照合方法において、
印影の水平垂直線を検出する印影水平垂直線検出手段と、印内部の文字の上方向を判定する印字上方向判定手段とを有し、２つの印影の印内文字の傾きを同じにする印字傾き整合手段を具備し、
前記印字上方向判定手段は、印内部の文字の線分のうちで前記印影水平垂直検出手段により検出した印影の水平垂直線と斜め状態にある斜め線分を、斜め線分の印影内の位置と傾斜方向の関係により分類し、印字の左側に左下がりの斜め線分が多く、かつ、右側に右下がりの斜め線分が多くなる方向を印字の上方向と判定し、
前記印字傾き整合手段により整合して前記表示手段により表示することを特徴とする印鑑照合方法。
【請求項２】
請求項１において、
前記印字傾き整合手段は、前記登録印影と前記被照合印影の印字の傾きを前記印影水平垂直線検出手段により検出された垂直線と前記印字との傾きの違いにより求め、両印字の傾きの差だけ前記登録印影又は前記被照合印影のいずれか一方の印影を回転させ、もう一方の印影はそのままの状態とすることにより印字傾きを同じにして整合することを特徴とする印鑑照合方法。
【請求項３】
請求項１又は請求項２において、
前記印影水平垂直検出手段は、前記登録印影及び前記被照合印影の形状が楕円形の場合には、長軸を垂直線に、短軸を水平線として検出することを特徴とする印鑑照合方法。
【請求項４】
請求項１又は請求項２において、
前記印影水平垂直検出手段は、前記登録印影及び前記被照合印影の形状が四角形の場合には、前記四角形の縦方向を垂直線に、前記四角形の横方向を水平線として検出することを特徴とする印鑑照合方法。
【請求項５】
請求項１又は請求項２において、
前記印影水平垂直検出手段は、前記登録印影及び前記被照合印影の形状が円形の場合には、印字の線分の傾きにより線分を分類して最も多く分類された傾きを水平垂直線として検出することを特徴とする印鑑照合方法。
【発明の詳細な説明】
【０００１】
【発明の属する技術分野】
本発明は、印鑑照合方法に関し、特に目視による印鑑照合をCRT等の表示装置上で行う場合に、２つの印影の本質的な相違を、朱肉の付着具合や押印むら、押印された帳票を読み取るスキャナーによる画像の歪み等に影響されずに、印影パターンから正確に判別できるようにした印鑑照合方法に関する。
【０００２】
【従来の技術】
特開昭６２−９３７６８（印鑑照合方式）に開示されているように、登録印影と被照合印影の照合判定結果が不一致である場合には不一致を認識できる表示を行い、照合判定結果が一致である場合には一致を認識できる表示を行う方法がある。
具体的には、前記特許の実施例に示されている表示の方法を場合分けして示す。まず、２つの印影画像に対しそれぞれの印影の印影形状と形状サイズを検出し、２つの印影の印影形状が異なる場合には２つの印影を並列表示し（ケース１）、２つの印影の印影形状が同じでかつ形状サイズが異なる場合には２つの印影の外輪部を重ねて表示する（ケース２）。つぎに、２つの印影の印影形状も形状サイズも同じである状況では、2つの印影を位置整合して一致度を求め、求めた一致度が予め定められた判定閾値より低い場合には２つの印影を並列表示し（ケース３）、求めた一致度が前記判定閾値よりも高い場合には２つの印影を位置整合して重ね合せ２つの印影の印部と背景部の一致不一致の組み合わせで色分け表示する（ケース４）。
【０００３】
【発明が解決しようとする課題】
まず第１の課題としては、上記従来技術のケース２では、印影形状は同じでかつ形状サイズが異なる場合には２つの印影の外輪部を重ねて表示するが、例えば２つの印影が楕円形状でそれぞれの印影が異なる角度で傾いている場合には、印影の外輪部を重ねて表示しても形状サイズが異なることを目視確認しづらい。同様のことが印影形状が角印（四角形）でも発生する。
この第1の課題を図2を用いて詳しく説明する。まず図2（A）の１８は登録印影であり、図２（B）の１９は被照合印影であるとする。図２（C）は特開昭６２−９３７６８に示されている２つの印影の形状寸法が不一致の場合の表示画面の例であり、表示画面の左から登録印影、被照合印影、登録印影と被照合印影の外輪部（１８Aは登録印影１８の外輪部、１９Aは被照合印影１９の外輪部）を重ねた画像が表示される。図2（C）の左側と真ん中は（A）と（B）のそのままの画像が表示されるので、印影形状の傾き方が異なっている場合であってもそのまま異なる傾きで表示される。特に図２（C）の右側の外輪部を重ねた表示部分では、異なった傾きの外輪部が重ねられているので形状寸法が異なることをこの表示からオペレータが容易に判断するには困難がある。
【０００４】
次に第２の課題としては、上記従来技術のケース３では、２つの印影の印影形状も形状サイズも同じである状況で、２つの印影を位置整合して一致度を求め、求めた一致度が予め定められた判定閾値より低い場合には２つの印影を並列表示するが、例えば２つの印影が同じサイズの楕円形状でそれぞれの印影が異なる角度で傾いている場合には、印影を並列表示しても印影の違いを目視確認しづらい。同様のことが印影形状が角印でも発生する。
この第２の課題を図３を用いて詳しく説明する。図３（A）の２０は登録印影であり、図3（B）の２１は被照合印影であるとする。図３（C）は特開昭６２−９３７６８に示されている２つの印影の形状も寸法も一致しているが一致度が判定閾値よりも低いために照合不一致または照合不能となった場合の表示画面の例であり、表示画面の左から登録印影、被照合印影が表示される。図3（C）の2つの印影は（A）と（B）のそのままの画像が表示されるので、印影形状の傾き方が異なっている場合や印影形状が円形では印内部の文字の向きが異なっている場合であっても、そのまま異なる傾きや向きで表示される。従って、この表示から印内部の文字が異なっていることをオペレータが容易に判断するには困難がある。
【０００６】
また、本発明の印鑑照合方法は、登録印影と、被照合印影の２つの印影を表示する表示手段とを備えた印鑑照合方法において、印影の水平垂直線を検出する印影水平垂直線検出手段と、印内部の文字の上方向を判定する印字上方向判定手段とを有し、２つの印影の印内文字の傾きを同じにする印字傾き整合手段を具備し、前記印字上方向判定手段は、印内部の文字の線分のうちで前記印影水平垂直検出手段により検出した印影の水平垂直線と斜め状態にある斜め線分を、斜め線分の印影内の位置と傾斜方向の関係により分類し、印字の左側に左下がりの斜め線分が多く、かつ、右側に右下がりの斜め線分が多くなる方向を印字の上方向と判定し、前記印字傾き整合手段により整合して前記表示手段により表示することを特徴とする。
【０００７】
【発明の実施の形態】
以下、本発明の実施例に係わる印鑑照合方法について、図面を用いて詳細に説明する。
図１に、本発明の印鑑照合方法の実施例を示すブロック構成図を示す。図１において、１は登録印影保持部であり登録印鑑データベースより照合を行うべき登録印影の画像を保持する。２は被照合印影保持部、３は被照合印影読取り部でありスキャナー等を用いて帳票を読み取り画像化し、この画像中の印鑑が捺印されている領域部分を切出した部分画像が前記被照合印影保持部２に保持される。
【０００８】
４は登録印影形状検出部であり、前記登録印影保持部１に保持されている登録印影の画像から印影の形状種別、形状サイズ、形状傾きを検出する。同様に５は被照合印影形状検出部であり、前記被照合印影保持部２に保持されている被照合印影の画像から印影の形状種別、形状サイズ、形状傾きを検出する。なお、形状種別としては例えば一般的な印影形状として、円形（丸印）、楕円形（小判形）、四角形（角印）等がある。これらの形状種別それぞれに対応した形状サイズとしては、形状種別が円形の場合は直径、形状種別が楕円の場合は長径と短径、形状種別が四角形の場合は四角形の横軸と縦軸の長さである。形状傾きは形状種別が円形の場合は考慮せず、楕円形の場合は楕円形の長径が画像の縦軸からどれだけ傾いているかを示す角度であり、四角形の場合は四角形の縦軸が画像の縦軸からどれだけ傾いているかを示す角度である。
【０００９】
次に６は形状兼サイズ比較部であり、前記登録印影形状検出部４と前記被照合印影形状検出部５から登録印影と被照合印影のそれぞれの形状種別と形状サイズを受け取り、２つの形状種別の比較により形状種別の一致または不一致の判定をし、形状種別が一致した場合には形状サイズの比較により形状サイズの一致または不一致の判定を行う。
【００１０】
７は形状傾き整合部であり、前記形状兼サイズ比較部６において形状種別が一致しているが形状サイズが不一致と判定された場合において、登録印影の形状傾きと被照合印影の形状傾きの差だけ一方の印影を回転させて２つの印影の形状傾きが同じになるようにする。８は形状傾き整合印影保持部であり、前記形状傾き整合部７において２つの印影の形状傾きが同じになった２つの印影画像を保持する。
【００１１】
９は印影位置合せ部であり、前記形状兼サイズ比較部で登録印影と被照合印影の形状種別と形状サイズが共に一致と判定された場合において、２つの印影が最も重なり合うように画像を平行移動及び回転させる。１０は位置合せ印影保持部であり、前記印影位置合せ部９において２つの印影が最も重なり合うように平行移動及び回転された２つの印影画像を保持する。１１は照合判定部であり、前記位置合せ印影保持部１０に保持されている位置合せされた2つの印影の一致度を算出し、この一致度と予め定められた判定閾値とを比較し一致度の方が高ければ２つの印影は一致していると判定し、一致度の方が低ければ２つの印影は一致していないと判定する。
【００１２】
１２は印字傾き整合部であり、前記照合判定部１１において２つの印影が一致していないと判定された場合に、登録印影保持部１と被照合印影保持部２に保持されている登録印影と被照合印影のそれぞれの印影内部の文字（印字と呼ぶ）の向きが同じになるように印影画像を回転させる。例えば登録印影の印字が上向きで被照合印影の印字が斜め向きの場合には被照合印影を回転させて印字が上向きになるようにする。１３は印字傾き整合印影保持部であり、前記印字傾き整合部１２により２つの印影の印字の向きが同じになった２つの印影画像を保持する。
【００１３】
１４は単純並列表示部であり、前記形状兼サイズ比較部６において２つの印影の形状種別が不一致である場合に、登録印影保持部１と被照合印影保持部２に保持されている登録印影と被照合印影を並列に並べて表示装置上に表示する。１５はサイズ差異表示部であり、前記形状兼サイズ比較部６において形状種別が一致しているが形状サイズが不一致と判定された場合に、前記形状傾き整合印影保持部８に保持されている形状傾きが同じになっている登録印影と被照合印影を並べて表示装置上に表示し、更に形状傾きが同じになっている登録印影と被照合印影のそれぞれの外輪部を重ねた画像を並べて表示する。１６は印字傾き整合並列表示部であり、前記形状兼サイズ比較部６で２つの印影の形状種別も形状サイズも一致すると判定されかつ、前記照合判定部１１で２つの印影は不一致と判定された場合において、前記印字傾き整合印影保持部１３に保持されている印字の向きが同じになっている登録印影と被照合印影を並べて表示装置上に表示する。１７は重ね合せ表示部であり、前記形状サイズ比較部６で２つの印影の形状種別も形状サイズも一致すると判定されかつ、前記照合判定１１で２つの印影は一致すると判定された場合において、前記位置合せ印影保持部１０に保持されている２つの印影をそれぞれ表示装置上に表示し、更に２つの印影の印部と背景部の一致不一致の組み合わせで色分けした画像を並べて表示する。
【００１４】
次に、本発明の実施例の動作を図1を用いて説明する。
まず、被照合印影読取り部３でスキャナー等により帳票が読み取られ捺印された印影分を切出した被照合印影画像が被照合印影保持部２に記録される。図に示していないがオペレータは帳票から例えば口座番号等をキーボードから入力することにより該当する登録印影が登録印鑑データベースより登録印影保持部１に記録される。
【００１５】
登録印影形状検出部４は登録印影保持部１に登録印影が記録されると、登録印影の形状種別、形状サイズ、形状傾きを検出する。なお、これらの形状情報の検出に関しては特開昭６２−９３７６８においても説明されているのでここでは省略する。同様に、被照合印影形状検出部５は被照合印影保持部２に被照合印影が記録されると、被照合印影の形状種別、形状サイズ、形状傾きを検出する。
【００１６】
形状兼サイズ比較部６は、登録印影形状検出部４と被照合印影形状検出部５が共に形状検出を終わらせると起動され、まず登録印影と被照合印影のそれぞれの形状種別を比較して一致または不一致を判定する。形状種別が一致の場合には更にそれぞれの形状サイズが比較され一致または不一致を判定する。従って、形状兼サイズ比較部６の比較結果としては、形状種別が不一致、形状種別は一致するが形状サイズが不一致、形状種別も形状サイズも一致の3通りとなる。これらの3通り結果に対し次に処理されるブロックが変る。つまり、形状種別が不一致の場合には単純並列表示部１４が次に起動され、形状種別は一致するが形状サイズが不一致の場合には形状傾き整合部７が次に起動され、形状種別も形状サイズも一致の場合には印影位置合せ部９が次に起動される。
【００１７】
そこで、形状種別が不一致の場合に次に起動される単純並列表示部１４を説明する。形状種別が不一致の場合例えば円形印影と楕円形印影の場合では、２つの印影が並列に並べられて表示されればオペレータは容易にそれらの形状の違いを確認できる。従って、単純並列表示部１４では、図４に示すように２２の登録印影と２３の被照合印影を並列させて表示装置上に表示する。オペレータはこの表示を見て印影形状が異なるという根拠を得て、照合結果として異なる印影であると判定する。
【００１８】
次に、形状種別は一致するが形状サイズが不一致の場合に次に起動されるのは形状傾き整合部７である。形状傾き整合部７では、登録印影形状検出部４と被照合印影形状検出部５で検出している登録印影と被照合印影の形状傾きを受け取り、２つの形状傾きの差だけ一方の印影を回転させ、もう一方の印影はそのままの印影とすることにより、形状傾きが同じ２つの印影を得る。例えば被照合印影を回転させる場合ならば被照合印影保持部２より被照合印影を得て形状傾きの差だけ回転させ、登録印影保持部１より登録印影を得てそのままとする。そこで、この回転された印影とそのままの印影は、形状傾き整合印影保持部８に記録される。形状傾き整合印影保持部８に２つの印影が記録されると、サイズ差異表示部１５はこの記録された形状傾きが同じ２つの印影を表示装置上に表示する。この場合の表示について図２（D）を用いて説明する。図2（D）は本発明の実施例における形状種別は一致するが形状サイズは不一致の場合の表示を示しており、表示画面には左から登録印影１８、形状傾きが登録印影の形状傾きと同じとなるように回転された被照合印影１９C、１８の印影の外輪部１８Aと１９Cの印影の外輪部１９Bを重ね合せた画像が表示される。このように印影形状の形状傾きを同じになるように一方の印影を回転させているので、図2（C）と比べても印影の寸法不一致の確認は容易に行える。従って、オペレータはこの表示を見て印影寸法が異なるという根拠を得て、照合結果として異なる印影であると判定する。
【００１９】
次に、形状種別も形状サイズも一致する場合に次に起動される印影位置合せ部９を説明する。印影位置合せ部９では、登録印影保持部１と被照合印影保持部２から登録印影と被照合印影を取出し２つの印影が最も重なり合うように印影を平行移動及び回転させる。この２つの印影が最も重なり合うように印影を平行移動及び回転させる方法には、例えば特開昭６２−９３７６８に説明されている等公知の技術を用いて差し支えないので、ここでは詳細な説明を省略する。そこで、この平行移動及び回転され最も重なり合うようになった後の２つの印影は、位置合せ印影保持部１０に記録される。位置合せ印影保持部１０に２つの印影が記録されると、照合判定部１１は位置合せ印影保持部１０に記録されている２つの印影の一致度をまず算出する。一致度の算出方法には、例えば特開昭６２−９３７６８に説明されている等公知の技術を用いて差し支えないので、ここでは詳細な説明を省略する。この算出された一致度と予め定められた判定閾値とを比較し、２つの印影が一致か不一致かを判定する。つまり、一致度の方が判定閾値よりも高ければ２つの印影は一致と判定し、一致度の方が判定閾値よりも低ければ２つの印影は不一致と判定する。この２つの印影が一致か不一致かの2通りの判定に対し次に処理されるブロックが変る。つまり、２つの印影が一致の判定の場合には重ね合せ表示部１７が次に起動され、２つの印影が不一致の判定の場合には印字傾き整合部１２が次に起動される。
【００２０】
そこで、２つの印影が一致の判定の場合に次に起動される重ね合せ表示部１７を説明する。重ね合せ表示部１７は、位置合せ印影保持部１０より最も重なり合うように平行移動及び回転された２つの印影を取出し、表示装置上にそれらの2つの印影を並列させて表示し、さらに２つの印影を重ね合せた表示を行う。その重ね合せた表示では２つの印影の印部が重なっている部分と、２つの印影の背景部が重なっている部分と、登録印影の印部と被照合印影の背景部が重なっている部分と、登録印影の背景部と被照合印影の印部が重なっている部分で表示色を分けて表示する。図５にその表示例を示している。図5の表示画面の左から登録印影２４、被照合印影２５、重ね合せ画像２６が並列に表示されている。重ね合せ画像２６では、２つの印影の印部が重なっている部分を黒色で、２つの印影の背景部が重なっている部分を白色で、登録印影の印部と被照合印影の背景部が重なっている部分を灰色に右下がり斜めパターンで、登録印影の背景部と被照合印影の印部が重なっている部分を灰色に左下がり斜めパターンで表示色を分けしている。従って、オペレータはこの表示の一致不一致の色分け表示部分を確認し、照合結果の判定を容易に下せる。
【００２１】
次に、２つの印影が不一致の判定の場合に次に起動される印字傾き整合部１２を説明する。印字傾き整合部１２は、登録印影保持部１と被照合印影保持部２より登録印影と被照合印影を受け取り、それぞれの印影の印字傾きを算出する。印字傾きの算出方法を図６のフローを使って説明する。まず、図６の点線枠で示した印影の水平垂直線検出を行う。印影の水平垂直線を図７に示している。図７（Ａ）は楕円形の印影の水平垂直線を点線で示しており、水平垂直線は楕円形の長軸と短軸に該当する。四角形の印影の水平垂直線は楕円形と同様であり、四角形の縦方向と横方向の軸が垂直線と水平線に該当する。図７（Ｂ）は円形の印影の水平垂直線を点線で示しており、水平垂直線は印内部の印字の向きによって決まる縦横の線である。従って、印影の水平垂直線検出では、Ｓ１で印影形状種別により次の処理としてＳ２又はＳ３が選択される。印影形状種別は登録印影形状検出部１又は被照合印影形状検出部２で検出された形状種別である。印影形状種別が楕円形又は四角形の場合には、Ｓ２の印影形状の水平垂直線検出を処理する。楕円形では長軸と短軸が垂直線と水平線に該当し、四角形では四角形の縦方向と横方向の軸が垂直線と水平線に該当し、これは登録印影形状検出部１又は被照合印影形状検出部２において検出している形状傾きから分かる。印影形状種別が円形の場合には、Ｓ３の印字の水平垂直線検出を処理する。印字の水平垂直線検出Ｓ３では、印字には水平又は垂直な線分が多いという統計的性質を利用し、印字の線分の傾きにより線分を分類して最も多く分類された傾きを水平垂直線の傾きとすれば良く、特開平８−２１２３４３に説明されている従来の技術を使用すれば良い。
【００２２】
そこで印影の水平垂直線が検出されたが、図７（Ｂ）に記した○(1)、○(2)、○(3)、○(4)のどれが印影の上方向であるかを判断できない。この判断をするのがＳ４の印字上方向判定である。印字上方向判定Ｓ４では、印字の斜めの線は左側にあれば左下がり、右側にあれば右下がりが多いという統計的性質を利用し、印影の水平垂直線に平行でない印字の斜め線分を分類する。例えば、垂直線に対して、印字の左側にある左下がりの線分と印字の右側にある右下がりの線分を一つの分類に入れ（分類A）、印字の左側にある右下がりの線分と印字の右側にある左下がりの線分を別の一つの分類（分類B）に入れる。図７（C）を使って説明すると、図７（C）の２つの点線で示したのが印字の斜め線分であり（図の見易さのため印外まで線分を伸ばしている）、上記分類に従うと分類Aに２つの斜め線分が分類され、分類Bには斜め線分が分類されない。同様に水平線に対して同様の分類を行い（分類C,分類D）、最も多く線分が分類された分類が決まる。例えば上記例で分類Aが最も多く線分が分類されたとすると、図７（B）の○(1)が印字の上方向であると判定できる。なお、上記説明では、斜め線分の位置を右側と左側だけで考えたが、より細かく斜め線分の存在する位置を考えても良い。その例を図８（Ａ）、（Ｂ）、（Ｃ）、（Ｄ）に挙げている。図８（Ａ）が上記説明に使用した右側と左側だけで考えた場合を示しており、実線の斜め線分同士は分類Ａに入り、点線の斜め線分同士は分類Ｂに入る。図８（Ｂ）（Ｃ）（Ｄ）についても同様である。
【００２３】
さて、印字上方向判定Ｓ４で印字の上方向が判定できたので印字が画像の垂直線とどれだけ傾いているかを計算することができる。この傾きを計算するのがＳ５の印字傾き計算である。
以上のように図6のフローに従って印字傾き整合部１２は、登録印影と被照合印影の印字傾きを求め、その印字傾きの差だけ一方の印影を回転し、２つの印影の印字向きが同じになるようにする。その印字向きが同じになった２つの印影を印字傾き整合印影保持部１３は記録する。
【００２４】
印字傾き整合印影保持部１３が、印字向きが同じ２つの印影を保持すると印字傾き整合並列表示部１６が表示装置上にこの印字向きが同じになった２つの印影を表示する。図３（Ｄ）に示したものが、本発明の実施例における印字傾き整合並列表示部１６の表示例である。元の被照合印影は図３（Ｂ）の２１であり、図３（Ａ）の登録印影２０と印字傾きが異なっていた。しかし、印字傾き整合部１２の処理により図３（Ｄ）の右側の２１Ａのように印字向きが２０と同じに整合されている。従って、オペレータはこの表示を見て印影内部の印字が異なっているということを容易に確認でき、照合結果として異なる印影であると判定する。
【００２５】
以上説明したように、本発明は異なる印影の並列表示において、印影の傾きが同じ向きになるように整合させて表示するようにしたことにより、オペレータの目視確認がより容易になりオペレータの業務効率の向上につながるものである。また、印影の向きを同じ向きになるように整合させる方法として、印影の形状サイズが異なる場合例えば楕円形の場合には楕円形の傾きを同じにするだけで良いが、印影の形状とサイズが同じであるが印字が異なる場合例えば楕円形の場合楕円形の傾きだけではなく印字の向きも同じにする必要がある。従って、前者の場合には演算処理の簡単な方法を用いることにより処理速度の向上につながるものである。
【図面の簡単な説明】
【図１】本発明の実施例に係わる印鑑照合方法のブロック構成を示す図である。
【図２】２つの印影の形状種別が一致で形状サイズが不一致な場合の照合表示を説明する図である。
【図３】２つの印影の形状種別と形状サイズが共に一致でかつ照合判定が不一致な場合の照合表示を説明する図である。
【図４】２つの印影の形状種別が不一致な場合の照合表示を説明する図である。
【図５】２つの印影の形状種別と形状サイズが共に一致でかつ照合判定が一致な場合の照合表示を説明する図である。
【図６】印字傾きの算出処理のフローを示す図である。
【図７】印影の水平垂直線と斜め線分を説明する図である。
【図８】印影の斜め線分の分類を説明する図である。
【符号の説明】
１  登録印影保持部
２  被照合印影保持部
３  被照合印影読取り部
４  登録印影形状検出部
５  被照合印影形状検出部
６  形状兼サイズ比較部
７  形状傾き整合部
８  形状傾き整合印影保持部
９  印影位置合せ部
１０位置合せ印影保持部
１１照合判定部
１２印字傾き整合部
１３印字傾き整合印影保持部
１４単純並列表示部
１５サイズ差異表示部
１６印字傾き整合並列表示部
１７重ね合せ表示部。
【図１】
0004304822.tif 000002
【図２】
0004304822.tif 000003
【図３】
0004304822.tif 000004
【図４】
0004304822.tif 000005
【図５】
0004304822.tif 000006
【図６】
0004304822.tif 000007
【図７】
0004304822.tif 000008
【図８】
0004304822.tif 000009